(57)【要約】      （修正有）【課題】メインハウジング、これと向かい合って結合されるスライディングハウジングを具備する装置に適用されて、スライディングハウジングがメインハウジングに対してスライディング動作とローテーション動作ができるように支援するスライディング及びローテーション複合メカニズムが提供される。【解決手段】スライディングハウジングが閉鎖状態からスライディング動作モードに進入すると、拘束チップはスライディングハウジングの拘束溝を脱すると同時にスライディングハウジングは回転が不可能になるように拘束される。また、スライディングハウジングがローテーション動作モードに進入すると、ヒンジベースのパッドが前記回転スライディング開口の下端部から上端部にスライディング移動すると同時に前記メインハウジングに対する回転を許容して、スライディングハウジングのメインハウジングに対する長さ方向へのスライディングは不許される。【選択図】図１
2009033750.tif 000002
【特許請求の範囲】
【請求項１】
メインハウジングと、これと向かい合って結合されるスライディングハウジングを具備する装置に適用されて、スライディングハウジングがメインハウジングに対してスライディング動作とローテーション動作ができるように支援するスライディング及びローテーション複合メカニズムであり、
前面上部領域に、水平方向(x軸方向)に短く延長された水平溝とななめに長く延長された傾斜溝がお互いに連通されるように続いた形態の回転ガイド溝と、この回転ガイド溝の隣にななめに長く延長された回転スライディング開口が設けられて、背面には前記回転スライディング開口を内包するシンクが設けられたメインハウジングと、
前記メインハウジングと向かい合う前面の所定位置に長く延長された側壁の端に拘束溝が形成されて、長さ方向に長く延長されたガイドレールが設けられたスライディングハウジングと、
基板の左右両側にホルダーが連結されて、前記ホルダーは前記ガイドレールとかみ合って滑走自在に結合されて、前記基板の前面には前記回転スライディング開口に挿入される隆起されたパッドと切開孔が設けられているヒンジベースと、
前記ヒンジベースの基板の背面に回転自在に結合された板片とこれの所定位置に直立した案内突起を具備して、前記案内突起は前記ヒンジベースの切開孔を通過して前記回転ガイド溝に挿入されて、前記板片の一側端は前記拘束溝に挿入または離脱される拘束チップで機能するベーススイングリンクと、
前記メインハウジングの前記シンク側で前記回転スライディング開口を横切ってかかられた状態で前記ヒンジベースの前記パッドと固定されることで、前記ヒンジベースを前記メインハウジングの前面上部領域に固着されるようにするベースダミーと、及び
一側端は前記ベースのシンクの底に旋回自在に挿入されて、反対側端は前記ベースダミーとヒンジベースの組立体の一側端に旋回自在に挿入されるメインスイングリンクを具備して、
前記スライディングハウジングが閉鎖状態でメインハウジングの長さ方向(y軸方向)スライディング動作モードに進入すると、前記ベーススイングリンクの拘束チップは前記スライディングハウジングの拘束溝を脱すると同時に前記ベーススイングリンクの案内突起が前記回転ガイド溝の傾斜溝と水平溝の境界支点で前記水平溝の終端支点に移動して前記スライディングハウジングは回転が不可能になるように拘束されて、
前記スライディングハウジングが閉鎖状態からローテーション動作モードに進入すると、前記ヒンジベースのパッドが前記回転スライディング開口の下端部から上端部にスライディング移動すると同時に前記ベーススイングリンクの案内突起は前記傾斜溝の下端部から上端部にスライディング移動することで、前記スライディングハウジングの前記メインハウジングに対する回転を許容して、このような回転過程で前記ベーススイングリンクの拘束チップは前記スライディングハウジングの拘束溝に挿入された状態を維持することで、前記スライディングハウジングの前記メインハウジングに対する長さ方向へのスライディングは不許されることを特徴とするスライディング及びローテーション複合メカニズム。
【請求項２】
一側腕は前記メインハウジングまたはこれと一体をなす構成要素に固定されて、残り一側腕は前記スライディングハウジングまたはこれと一体をなす構成要素に固定されて、前記スライディングハウジングが前記メインハウジングに対して閉鎖状態や開き状態にいる時、その状態を維持するように支えて、前記スライディングハウジングが外力によってスライディング-アップまたはスライディング-ダウンをする時、圧縮されてから伸長されながらそのスライディングハウジングを最後まで押し上げるか、または引き下す力を提供する垂直スライディング用スプリングをさらに具備することを特徴とする請求項１に記載のスライディング及びローテーション複合メカニズム。
【請求項３】
前記垂直スライディング用スプリングは、トーションスプリングであることを特徴とする請求項２に記載のスライディング及びローテーション複合メカニズム。
【請求項４】
一側腕は前記メインハウジングまたはこれと一体をなす構成要素に固定されて、残り一側腕は前記スライディングハウジングまたはこれと一体をなす構成要素に固定されて、前記スライディングハウジングが前記メインハウジングに対して閉鎖状態や９０度回転状態にいる時、その状態を維持するように支えて、前記スライディングハウジングが外力によって９０度回転状態に履行するか、または閉鎖状態に履行する時、圧縮されてから伸長されながらそのスライディングハウジングを最後まで回転させる力を提供する回転スライディング用スプリングをさらに具備することを特徴とする請求項１に記載のスライディング及びローテーション複合メカニズム。
【請求項５】
前記回転スライディング用スプリングはトーションスプリングであることを特徴とする請求項４に記載のスライディング及びローテーション複合メカニズム。
【請求項６】
前記ヒンジベースのパッドが前記回転スライディング開口の下端部から上端部にスライディング移動する時の水平方向(x軸方向)の移動距離は前記スライディングハウジングの長さ中心線を前記メインハウジングの幅の中心線上に来るように前記スライディングハウジングの移動する距離と同じであることを特徴とする請求項１に記載のスライディング及びローテーション複合メカニズム。
【請求項７】
前記ヒンジベースのパッドが前記回転スライディング開口の下端部から上端部にスライディング移動する時のメインハウジングの長さ方向(y軸方向)の移動距離は９０度回転した前記スライディングハウジングの上部側面の高さが前記メインハウジングの上部側面の高さと同じになるように前記スライディングハウジングが移動する距離と同じであることを特徴とする請求項１に記載のスライディング及びローテーション複合メカニズム。
【請求項８】
前記回転スライディング開口の傾斜角と長さは、前記スライディングハウジングが９０度回転する時、前記ヒンジベースのパッドがメインハウジングの幅方向(水平方向またはx軸方向)と長さ方向(y軸方向)に移動する距離と同じであることを特徴とする請求項１に記載のスライディング及びローテーション複合メカニズム。
【請求項９】
９０度回転後の前記スライディングハウジングは、前記メインハウジングを基準に左右対称をなして、それの上部側面は前記メインハウジングの上部側面と同じ高さをなすことを特徴とする請求項７に記載の前記スライディング及びローテーション複合メカニズム。
【請求項１０】
前記回転ガイド溝の前記傾斜溝は、前記スライディングハウジングが９０度回転する間に前記ベーススイングリンクの案内突起を拘束して、前記スライディングハウジングが長さ方向にスライディングすることを遮断することを特徴とする請求項１に記載のスライディング及びローテーション複合メカニズム。
【請求項１１】
前記傾斜溝は対角線方向に所定長さ延長されながら撓った形状であり、これの長さと撓い軌跡は前記メインスイングリンクとベースダミーの運動軌跡に基づいて決まることを特徴とする請求項９に記載のスライディング及びローテーション複合メカニズム。
【請求項１２】
お互いに接している前記ヒンジベースに設けられた前記パッドと前記ベースダミーには、前記スライディングハウジングと前記メインハウジングを電気的に連結させるフレキシブルケーブルが貫くことができるスロットがそれぞれ形成されていることを特徴とする請求項１に記載のスライディング及びローテーション複合メカニズム。
【請求項１３】
前記スライディングハウジングは、前面に直四角形のシンクが形成されたスライディングハウジング本体、そして前記シンクの幅よりすこし小さな幅を有して両側面に沿ってステップ形状のガイドレールが設けられて、前記シンク内に固定されて前記シンクの両側壁との間に沿って長く延長されるスライディング溝を提供する直四角形のスライディングプレートを具備することを特徴とする請求項１に記載のスライディング及びローテーション複合メカニズム。
【請求項１４】
前記メインハウジングは、前記回転ガイド溝と前記回転ガイド溝の隣に前記回転スライディング開口が形成されたガイディングプレートと前記ガイディングプレートを収容して一体で結合されるメインハウジング本体を具備することを特徴とする請求項１に記載のスライディング及びローテーション複合メカニズム。
【請求項１５】
メインハウジングとこれと向かい合って結合されるスライディングハウジングを具備する装置に適用されて、スライディングハウジングがメインハウジングに対してスライディング動作とローテーション動作ができるように支援するスライディング及びローテーション複合メカニズムであり、
前面上部領域に、水平方向(x軸方向)に短く延長された水平溝とななめに長く延長された傾斜溝がお互いに連通されるように続いた形態の回転ガイド溝と、この回転ガイド溝の隣にななめに長く延長された回転スライディング開口が設けられて、背面には前記回転スライディング開口を内包するシンクが設けられたメインハウジングと、
前記メインハウジングと向かい合う前面の所定位置に長く延長された側壁の端に拘束溝が形成されて、長さ方向に長く延長されたガイドレールが設けられたスライディングハウジングと、
基板の左右両側にホルダーが連結されて、前記ホルダーは前記ガイドレールとかみ合って滑走自在に結合されて、前記基板の前面には前記回転スライディング開口に挿入される隆起されたパッドと切開孔が設けられているヒンジベースと、
前記ヒンジベースの基板の背面に回転自在に結合された板片とこれの所定位置で直立した案内突起を具備して、前記案内突起は前記ヒンジベースの切開孔を通過して前記回転ガイド溝に挿入されて、前記板片の一側端は前記拘束溝に挿入または離脱される拘束チップで機能するベーススイングリンクと、
前記メインハウジングの前記シンク側で前記回転スライディング開口を横切ってかかられた状態で前記ヒンジベースの前記パッドと固定されることで前記ヒンジベースを前記メインハウジングの前面上部領域に固着されるようにするベースダミーと、
一側端は前記ベースのシンクの底に旋回自在に挿入されて、反対側の端は前記ベースダミーとヒンジベースの組立体の一側端に旋回自在に挿入されるメインスイングリンクと、
一側腕は前記メインハウジングまたはこれと一体をなす構成要素に固定されて、残りの一側腕は前記スライディングハウジングまたはこれと一体をなす構成要素に固定されて、前記スライディングハウジングが前記メインハウジングに対して閉鎖状態や開き状態にいる時、その状態を維持するように支えて、前記スライディングハウジングが外力によってスライディング-アップまたはスライディング-ダウンをする時、圧縮されてから伸長されながらそのスライディングハウジングを最後まで押し上げるか、または引き下す力を提供する垂直スライディング用スプリングと、及び
一側腕は前記メインハウジングまたはこれと一体をなす構成要素に固定されて、残りの一側腕は前記スライディングハウジングまたはこれと一体をなす構成要素に固定されて、前記スライディングハウジングが前記メインハウジングに対して閉鎖状態や９０度回転状態にいる時、その状態を維持するように支えて、前記スライディングハウジングが外力によって９０度回転状態に履行するか、または閉鎖状態に履行する時、圧縮されてから伸長されながらそのスライディングハウジングを最後まで回転させる力を提供する回転スライディング用スプリングを具備することを特徴とするスライディング及びローテーション複合メカニズム。
【請求項１６】
前記垂直スライディング用スプリングと前記回転スライディング用スプリングは、トーションスプリングであることを特徴とする請求項１５に記載のスライディング及びローテーション複合メカニズム。
【請求項１７】
前記スライディングハウジングが閉鎖状態でメインハウジングの長さ方向(y軸方向)にスライディング動作モードに進入すると、前記ベーススイングリンクの拘束チップは、前記スライディングハウジングの拘束溝を脱すると同時に前記ベーススイングリンクの案内突起が前記回転ガイド溝の傾斜溝と水平溝の境界支点で前記水平溝の終端支点に移動して前記スライディングハウジングは回転が不可能になるように拘束されて、
前記スライディングハウジングが閉鎖状態からローテーション動作モードに進入すると、前記ヒンジベースのパッドが前記回転スライディング開口の下端部から上端部にスライディング移動すると同時に前記ベーススイングリンクの案内突起は前記傾斜溝の下端部から上端部にスライディング移動することで、前記スライディングハウジングの前記メインハウジングに対する回転を許容して、このような回転過程で前記ベーススイングリンクの拘束チップは前記スライディングハウジングの拘束溝に挿入された状態を維持することで、前記スライディングハウジングの前記メインハウジングに対する長さ方向へのスライディングは不許されることを特徴とする請求項１５に記載のスライディング及びローテーション複合メカニズム。
【請求項１８】
請求項１ないし１７のうちでいずれか一つのスライディング及びローテーション複合メカニズムを採用してスライディング動作モードとローテーション動作モードとが択一的に遂行されることができるように構成されることを特徴とする携帯用通信端末機、ゲーム機、ＰＭＰ、小型コンピューター、携帯用電子機器などのような携帯用電子機器。
【請求項１９】
前記携帯用電子機器は、前記スライディングハウジングに配置されたディスプレイ画面と、前記メインハウジングに配置されたキーらを有することを特徴とする請求項１８に記載の携帯用電子機器。
【請求項２０】
前記携帯用電子機器のすべてのキーらは前記メインハウジングのみに配置されて前記ディスプレイ画面は前記スライディングハウジングの前面の大部分を占める大きさを有することを特徴とする請求項１６に記載の携帯用電子機器。
【発明の詳細な説明】
【技術分野】
【０００１】
本発明は、二つの部材を結合させてくれながらいずれか一つの部材が残り一つの部材に対してスライディング運動とローテーション運動ができるようにしてくれる運動メカニズムとこれを採用してディスプレイが装着されたスライディングハウジングをメインハウジングに対してスライディング開閉をするか、または９０度ローテーションすることができる携帯用端末機に関するものである。
【背景技術】
【０００２】
最近に、携帯型端末機、例えば携帯電話にビデオ(例:video on-demand)やテレビ放送(例:digital multimedia broadcasting)視聴機能など(以下、'テレビ視聴機能'と称する)が適用される成り行きが増えている。携帯電話の画面は一般的に横に比べて縦長さがさらに長いディスプレイを有する。ところで、ＴＶ画面は横に比べて縦長さがさらに短い。利用者らはＴＶ画面に慣れている。それで、携帯電話を利用したテレビ放送の視聴時には横表示のためにディスプレイ画面を９０度回転させるのが望ましい。
【０００３】
携帯電話はバータイプ、フリップカバータイプ、フォルダタイプ、スライドタイプなどさまざまな形態がある。最近の市場の成り行きを見れば使用の便宜性で最もすぐれているスライド方式の携帯電話が主類を形成する。スライド方式は画面が配置されたスライディングハウジングをキーパッドが配置されたメインハウジングに対してスライディング-アップまたはスライディング-ダウンのような動作で開閉する方式である。
【０００４】
携帯電話をデザインするにおいて、スライディングハウジングのローテーション機能をスライディング開閉機能と統合する場合、いくつかの考慮しなければならない事項が生ずる。携帯電話デザインにおいて小型化とスリム化、そして使用の便宜性はいつも重要な要素である。前記二つの機能を支援するために各機能別に連関性がない別個のメカニズムを提供することは小型化とスリム化に不利な結果をもたらしやすい。また、使用の便宜性や動作の安全性を考慮する時、スライディングハウジングが上下でスライディング動作をする間にはローテーションが起きないようにして反対にスライディングハウジングがローテーション動作を遂行する間にはスライディングが起きないようにすることが要求される。テレビ視聴機能にはディスプレイ画面の大きさが大きいものが有利である。それで、スライディングハウジングには画面のみを配置してキーパッドは本体部にだけ全部配置する方案はディスプレイ画面の最大化に非常に有利である。この場合、本体部には配置しなければならないキーらが多くなるので、これらを配置する領域も広くならなければならない。これを裏付けるために、スライディングハウジングはスライディング-アップ動作時既存に比べてさらに高く上がらなければならないので移動する距離が長くならなければならないであろう。スライディングハウジングのローテーション動作時にも同じ要求が提起される。すなわち、スライディングハウジングが９０度回転した状態で本体部に配置されたキーらが全部露出しなければならない。併せて、９０度回転したスライディングハウジングがメインハウジングとなす位置関係で対称をなしたら、使用上の便宜性だけではなく対称美のような美的要素まで確保することができるであろう。
【発明の開示】
【発明が解決しようとする課題】
【０００５】
本発明は、一つの統合されたメカニズムとして前記で言及した要求らを効果的にいっぺんに満足させてくれることができるスライディング及びローテーションメカニズムを提供することを目的とする。
【０００６】
また、本発明はこのようなスライディング及びローテーションメカニズムを採用してスリム(slim)でありながらも安定したスライディング及びローテーション動作をすることができて、ディスプレイ画面の最大化が可能であるようにスライディングやローテーション後のスライディングハウジングの位置が最大限高い位置になるように設計が可能な携帯用通信端末機、ゲーム機、ＰＭＰ、小型コンピューター、携帯用電子機器などのような携帯用電子機器を提供することを他の目的とする。
【課題を解決するための手段】
【０００７】
このような目的を達成するための本発明によると、メインハウジングとこれと向かい合って結合されるスライディングハウジングを具備する装置に適用されて、スライディングハウジングがメインハウジングに対してスライディング動作とローテーション動作ができるように支援するスライディング及びローテーション複合メカニズムが提供される。
【０００８】
このスライディング及びローテーション複合メカニズムは、前面上部領域に、水平方向(x軸方向)に短く延長された水平溝とななめに長く延長された傾斜溝がお互いに連通されるように続いた形態の回転ガイド溝と、この回転ガイド溝の隣にななめに長く延長された回転スライディング開口が設けられて、背面には前記回転スライディング開口を内包するシンクが設けられたメインハウジングと、前記メインハウジングと向かい合う前面の所定位置に長く延長された側壁の端に拘束溝が形成されて、長さ方向に長く延長されたガイドレールが設けられたスライディングハウジングと、基板の左右両側にホルダーが連結されて、前記ホルダーは前記ガイドレールとかみ合って滑走自在に結合されて、前記基板の前面には前記回転スライディングの開口に挿入される隆起されたパッドと切開孔が設けられているヒンジベースと、前記ヒンジベースの基板の背面に回転自在に結合された板片とこれの所定位置で直立した案内突起を具備して、前記案内突起は前記ヒンジベースの切開孔を通過して前記回転ガイド溝に挿入されて、前記板片の一側端は前記拘束溝に挿入または離脱される拘束チップで機能するベーススイングリンクと、前記メインハウジングの前記シンク側で前記回転スライディング開口を横切ってかかられた状態で前記ヒンジベースの前記パッドと固定されることで、前記ヒンジベースを前記メインハウジングの前面上部領域に固着するようにするベースダミーと、一側端は前記ベースのシンクの底に旋回自在に挿入されて反対側端は前記ベースダミーとヒンジベースの組立体の一側端に旋回自在に挿入されるメインスイングリンクを具備する。このような構成によると、前記スライディングハウジングが閉鎖状態でメインハウジングの長さ方向(y軸方向)スライディング動作モードに進入すると、前記ベーススイングリンクの拘束チップは前記スライディングハウジングの拘束溝を脱すると同時に前記ベーススイングリンクの案内突起が前記回転ガイド溝の傾斜溝と水平溝の境界支点で前記水平溝の終端支点に移動して前記スライディングハウジングは回転が不可能になるように拘束される。また、前記スライディングハウジングが閉鎖状態でローテーション動作モードに進入すると、前記ヒンジベースのパッドが前記回転スライディング開口の下端部から上端部にスライディング移動すると同時に前記ベーススイングリンクの案内突起は前記傾斜溝の下端部から上端部にスライディング移動することで、前記スライディングハウジングの前記メインハウジングに対する回転を許容して、このような回転過程で前記ベーススイングリンクの拘束チップは前記スライディングハウジングの拘束溝に挿入された状態を維持することで前記スライディングハウジングの前記メインハウジングに対する長さ方向へのスライディングは不許される。
【０００９】
前記スライディング及びローテーション複合メカニズムは、垂直スライディング用スプリングをさらに具備するのが望ましい。この垂直スライディング用スプリングは、一側腕は前記メインハウジングまたはこれと一体をなす構成要素に固定されて、残り一側腕は前記スライディングハウジングまたはこれと一体をなす構成要素に固定されて、前記スライディングハウジングが前記メインハウジングに対して閉鎖状態や開き状態にいる時、その状態を維持するように支えて、前記スライディングハウジングが外力によってスライディング-アップまたはスライディング-ダウンをする時に圧縮されてから伸張されながらそのスライディングハウジングを最後まで押し上げるか、または引き下す力を提供する。前記垂直スライディング用スプリングは、トーションスプリングに具現されるのが望ましい。
【００１０】
前記スライディング及びローテーション複合メカニズムは、また回転スライディング用スプリングをさらに具備するのが望ましい。この回転スライディング用スプリングは、一側腕は前記メインハウジングまたはこれと一体をなす構成要素に固定されて、残り一側腕は前記スライディングハウジングまたはこれと一体をなす構成要素に固定されて、前記スライディングハウジングが前記メインハウジングに対して閉鎖状態や９０度回転状態にいる時、その状態を維持するように支えて、前記スライディングハウジングが外力によって９０度回転状態に履行するか、または閉鎖状態に履行する時に圧縮されてから伸長されながらそのスライディングハウジングを最後まで回転させる力を提供する。この回転スライディング用スプリングもトーションスプリングで具現されるのが望ましい。
【００１１】
スライディング及びローテーション複合メカニズムにおいて、前記回転スライディング開口は、次のような特徴が充足されるように設計されるのが望ましい。一側面によると、前記ヒンジベースのパッドが前記回転スライディング開口の下端部から上端部にスライディング移動する時の水平方向(x軸方向)の移動距離は前記スライディングハウジングの長さ中心線を前記メインハウジングの幅の中心線上に来るように前記スライディングハウジングの移動する距離と同じであるのが望ましい。他の側面によると、前記ヒンジベースのパッドが前記回転スライディング開口の下端部から上端部にスライディング移動する時のメインハウジングの長さ方向(y軸方向)の移動距離は９０度回転した前記スライディングハウジングの上部側面の高さが前記メインハウジングの上部側面の高さと同じになるように前記スライディングハウジングが移動する距離と同じであるのが望ましい。また他の側面によると、前記回転スライディング開口の傾斜角と長さは前記スライディングハウジングが９０度回転する時、前記ヒンジベースのパッドがメインハウジングの幅方向(水平方向またはx軸方向)と長さ方向(y軸方向)に移動する距離と同じであるのが望ましい。また他の側面によると、スライディング及びローテーション複合メカニズムにおいて、９０度回転後の前記スライディングハウジングは前記メインハウジングを基準に左右対称をなして、それの上部側面は前記メインハウジングの上部側面と同じ高さをなすのが望ましい。
【００１２】
前記回転ガイド溝の前記傾斜溝は、前記スライディングハウジングが９０度回転する間に前記ベーススイングリンクの案内突起を拘束して、前記スライディングハウジングが長さ方向にスライディングすることを遮断するのが望ましい。前記傾斜溝は対角線方向に所定長さ延長されながら撓った形状であり、これの長さと撓い軌跡は前記メインスイングリンクとベースダミーの運動軌跡に基づいて決めるのが望ましい。
【００１３】
前記スライディング及びローテーション複合メカニズムにおいて、お互いに接している前記ヒンジベースに設けられた前記パッドと前記ベースダミーには前記スライディングハウジングと前記メインハウジングを電気的に連結させるフレキシブルケーブルが貫くことができるスロットがそれぞれ形成されているのが望ましい。
【００１４】
前記スライディングハウジングは、前面に直四角形のシンクが形成されたスライディングハウジング本体、そして前記シンクの幅よりすこし小さな幅を有して、両側面に沿ってステップ形状のガイドレールが設けられて前記シンク内に固定されて、前記シンクの両側壁との間に沿って長く延長されるスライディング溝を提供する直四角形のスライディングプレートを具備するのが望ましい。
【００１５】
前記メインハウジングは前記回転ガイド溝と該回転ガイド溝の隣に前記回転スライディング開口が形成されたガイディングプレートと前記ガイディングプレートを収容して一体で結合されるメインハウジング本体を具備するのが望ましい。
一方、本発明の他の側面によると、以上で言及したスライディング及びローテーション複合メカニズムのうちでいずれか一つを採用してスライディング動作モードとローテーション動作モードが択一的に遂行されることができるように構成されることを特徴とする携帯用通信端末機、ゲーム機、ＰＭＰ、小型コンピューター、携帯用電子機器などのような携帯用電子機器が提供される。この携帯用電子機器は、前記スライディングハウジングに配置されたディスプレイ画面と、前記メインハウジングに配置されたキーらを有することを特徴とする。この場合、前記携帯用電子機器のすべてのキーらは前記メインハウジングのみに配置されて、前記ディスプレイ画面は前記スライディングハウジングの前面の大部分を占める大きさを有するのが望ましい。
【発明の効果】
【００１６】
本発明によると、一つの統合されたメカニズムを採用することで、スライディングハウジングはメインハウジングに対してスライディング動作とローテーション動作すべてができる。また、いずれか一つの動作モードを遂行する間には残り一つの動作モードは基本的に不可能で、各動作モードを安定的に遂行することができる。
【００１７】
本発明が携帯電話に適用される場合、スライディングハウジングが移動することができるスライディング距離が長いだけではなく、スライディングハウジングは９０度回転をしながら最大限高く上がることができる。だから、本体部に必要なキーらを全部配置してスライディングハウジングには、ディスプレイ画面だけを配置する設計方式が可能である。したがって、大きいディスプレイ画面を提供することができるので、テレビジョン視聴機能を採用する携帯電話には、有利な設計条件を提供する。また、スライディングハウジングが９０度回転した場合、左右対称の‘Ｔ'字模様をなして、対称美も提供してテレビジョン放送を視聴時にメインハウジングを取った手に重さの均衡感があって使用も便利である。
【発明を実施するための最良の形態】
【００１８】
メインハウジング１０の前には全体領域のうちでスライディングハウジング２０をスライド-アップした時に開放される領域１２a、１２bは、キーパッドが配置されて、その上側の非開放領域には回転ガイド溝１６と回転スライディング開口１８が形成されている。キーパッド領域１２aは通常既存の携帯電話の本体部に位置した数字キー及び文字キーら(図示せず)が位置する領域であり、その上のキーパッド領域１２bはさまざまな機能キーら(例えば、メニュー、確認、通話、終了、取り消し、ポップアップ、メッセージなどのようなさまざまな機能キーら)が配置される領域である。これら機能キーらは既存の携帯電話では一般的にはスライディングハウジング２０に配置されたものらであるが、スライディングハウジング２０のディスプレイ領域２２の広さを最大化するために、これら機能キーらをメインハウジング１０に配置する。
【００１９】
回転スライディング開口１８は一定な幅と長さを有しながらまっすぐに伸びた開口として、メインハウジング１０の長さ方向を基準に左に、例えば３０度程度ななめに形成される。この開口１８の幅は後述するヒンジベース３０の円形パッド３８が挿入されてスライディング運動ができる大きさで決まって、長さはスライディングハウジング２０が９０度回転をする間に前記ヒンジベース３０の円形パッド３８が移動する距離と同じにする。
【００２０】
回転ガイド溝１６は水平方向に短く延長された水平溝と対角線方向に長く延長された撓った傾斜溝がお互いに連通されるように続いた形状を有する。傾斜溝は回転スライディング開口１８よりもうすこし左側に傾いて、スライディングハウジング２０が回転する時に後述するベーススイングリンク４０の案内突起４４が描く跡についてすこし撓った形態であり、溝の幅は前記案内突起４４が挿入されて移動することができる大きさであり、長さはスライディングハウジング２０が９０度回転をする時に前記案内突起４４が移動する距離と同じにする。回転ガイディング溝１６の傾斜溝の長さと撓い軌跡は円滑な滑走と９０度の回転を正確に保障するためにメインスイングリンク７０とベースダミー６０の運動軌跡と調和をなすように決めるのが望ましい。
【００２１】
前記非開放領域の背面には２段のシンクが形成される。第１シンク１３は回転スライディング開口１８を含みながら垂直スライディング用スプリング５０、ベースダミー６０、そして、メインスイングリンク７０を収容するためのシンクである。第２シンクは、第１シンク１３のまわりに形成されて第１シンク１３を覆うリアカバー９０を収容するためのシンクである。第１シンク１３の底には二つのネジ締結孔１５a、１５bが形成された凸部が右側壁の中下部辺りと左上部縁ですこし離隔された支点に設けられる。
【００２２】
メインハウジングは回転ガイド溝１６とこの回転ガイド溝１６の隣に回転スライディング開口が形成されたガイディングプレートとこのガイディングプレートを収容して一体で結合されるメインハウジング本体の組立体として構成されることもできて、一方では最初からこの二つの部材が一体化された形態でメインハウジングを構成することもできるであろう。
【００２３】
ベースダミー６０はおおよそ円形の中央部６２を中心に長い羽と短い羽が両方向に延長されたプレートとして、中央部６２の中にはフレキシブルケーブル(ＦＰＣＢ)(図示せず)が過ぎ去ることができるスロット６６と、その周辺に多数のネジ締結孔６７が設けられて、両羽にはそれぞれネジ締結孔６４、６５が設けられる。メインスイングリンク７０の胴体７２の両側端に直立した第１突起７４と第２突起７６とは、ネジ締結孔１５aとベースダミー６０の一側羽に形成されたネジ締結孔６４にそれぞれ挿入される。
【００２４】
回転スライディング用スプリング８０は、スライディングハウジング２０がメインハウジング１０に対して閉鎖状態や９０度回転状態にいる時にその状態を維持するように支えて、スライディングハウジング２０が外力によって９０度回転状態に履行するか、または閉鎖状態に履行する時に圧縮されてから伸長されながらそのスライディングハウジングを最後まで回転させる力を提供してくれる役割をする。このような役割のために、回転スライディング用スプリング８０の一側腕はメインハウジング１０またはこれと一体をなす構成要素に固定されて、残り一側腕はスライディングハウジング２０またはこれと一体をなす構成要素に固定される。図示された例は、回転スライディング用スプリング８０の両腕８２、８４の端は、ネジ締結孔１５aとベースダミー６０の他の羽に設けられたネジ締結孔６５にそれぞれ螺合８８a、８８bされたことを例示する。だから、ベースダミー６０を中心にこれの一側には回転スライディング用スプリング８０が結合されて、反対側にはメインスイングリンク７０が結合される。
【００２５】
メインスイングリンク７０は螺合ではない単純な差込方式で結合されるので、ベースダミー６０に対して回転が可能である。リアカバー９０にはメインスイングリンク７０と対面する領域に突出パッド９６を用意する。リアカバー９０を多数の結合孔９２にネジ９４を挿入してメインハウジング１０に固定した時、その突出パッド９６がメインスイングリンク７０の離脱を防止してくれる。
【００２６】
スライディングハウジング２０の前面にはディスプレイ部２２が配置される。従来の携帯電話は通常スライディングハウジング２０の前面にディスプレイ部２２下に一定領域を別に用意してさまざまな機能キーらが配置される。このような設計によると、ディスプレイ部２２のサイズがそれほど減るようになる。これはテレビ視聴機能を採用しようとする携帯電話には有利ではないものである。だから、スライディングハウジング２０の前面にはディスプレイ部２２だけを配置するのが望ましい。その背面には下からおおよそ３/４程度の高さまで長く延長される直四角形のシンク２１が形成される。ガイドレール２６にヒンジベースホルダー３３を挟んでヒンジベース３０と結合した状態でスライディングプレート２４をこのシンク２１内に固定する。スライディングプレート２４はその幅がシンク２１の幅よりすこし小さくする。そうすると、このスライディングプレート２４の両側面と前記シンク２１の両側壁との間には長さ方向に長く延長された隙間、すなわち、スライディング溝２７-１が確保される。スライディングプレート２４は、またその外面(すなわち、ヒンジベース３０と向かい合う面)に直四角形のシンク２７が形成される。その直四角形シンク２７の左右側壁２５上端にはベーススイングリンク４０の拘束チップ４６を拘束するための拘束溝２３が形成される。スライディングプレート２４にはネジ２８結合のために多数の結合孔２９が設けられる。また、スライディングプレート２４の両側面にはステップ形状のガイドレール２６が形成される。
【００２７】
スライディングハウジング２０は、スライディングプレート２４とスライディングハウジング本体の組立体で構成されることもできるが、一方ではこれら二つの部材が最初から一体化された形態で構成されることもできる。
【００２８】
ヒンジベース３０は基板３１とこれの両側縁にそれぞれ設けられたヒンジベースホルダー３３を具備する。ヒンジベースホルダー３３は縁でガイドレール２６が挿入されることができる程度の高さで直立した後、再びお互いに向かい合う方向に９０度折曲された形状である。ヒンジベースホルダー３３がガイドレール２６にかみ合うようにした状態でスライディングプレート２４をスライディングハウジング２０本体のシンク２１に固定することで、ヒンジベース３０はスライディングプレート２４と対面しながら滑走自在に結合される。このようなスライディング溝２７-１の用意とヒンジベースホルダー３３とガイドレール２６との間の滑走可能な結合によって、スライディングハウジング２０は、メインハウジング１０に対して長さ方向(垂直方向)にスライディング-アップまたはスライディング-ダウン運動をすることができる。
【００２９】
ヒンジベース３０の基板３１の上面の所定位置にはベースダミー６０の中央部６２と対形状の円形パッド３８が設けられる。この円形パッド３８は回転スライディング開口１８内に収容されて、その開口１８の長さ方向に沿って下上に滑走運動ができるように円形パッド３８の直径は回転スライディング開口１８の幅とほとんど同じにさせる。この円形パッド３８の中には、フレキシブルケーブル(ＦＰＣＢ)(図示せず)が通過することができるスロット３６が設けられて、その周りに多数の結合孔３７らが設けられる。ベースダミー６０の中央部６２と円形パッド３８とは、ネジ６８を利用して螺合される。これによってヒンジベース３０はメインハウジング１０の前面に固定される。ヒンジベース３０の配置高さはスライディングハウジング２０を完全にスライド-アップした時(図３の(ｃ)参照)ヒンジベース３０の底面ラインがスライディングハウジング２０の底面ラインと同じであるか、または非常にすこし高い程度になるようにする、さらに、ヒンジベース３０がスライディングプレート２４のガイドレーン２６と滑走自在に結合されることによって、メインハウジング１０とスライディングハウジング２０がスライディング可能な結合をなす。
【００３０】
ヒンジベース３０の底面とスライディングプレート２４の直四角形シンク２７の底面との間には一定高さの空いた空間が設けられる。その空いた空間にベーススイングリンク４０が設置される。ベーススイングリンク４0は、おおよそ直角をなすように曲がっている板片４５の中に結合孔４２が形成されて、板片の一側端は拘束チップ４６として機能するように端の部分がラウンド形状であり、板片４５の反対側端にはガイド突起４４が直立される。ネジ４８を結合孔４２に挿入して基板３１に設けられた結合孔３２に締結することで、ベーススイングリンク４0がヒンジベース３０に装着される。ガイド突起４４は基板３１にガイド突起４４の回転許容のために設けられた切開孔３４を通じて回転ガイド溝１６の内に挿入される。
【００３１】
また、垂直スライディング用スプリング５０は、連結部材５２を媒介にこれの両側にトーションスプリングが結合される。二つのトーションスプリングのみをお互いに連結することに比べて連結部材５２を介にして、二つのトーションスプリングを連結した構造を取ることで、垂直スライディング用スプリング５０は伸長された状態の長さを長くすることができる。これによってスライディングハウジング２０がスライディング-アップする距離が長い場合にも充分に対応することができるようになる。この垂直スライディング用スプリング５０の一側腕５４aはネジ５６aでスライディングプレート２４とスライディングハウジング２０に設けられた結合孔２９a、２９bに固定されて、残りの一側腕５４bはネジ５６bでメインハウジング１０と一体をなすヒンジベース３０に設けられた結合孔３５に固定される。このような結合によって、垂直スライディング用スプリング５０はスライディングハウジング２０がメインハウジング１０に対して閉鎖状態や開き状態にいる時、その状態を維持するように支えて、スライディングハウジング２０が外力によってスライディング-アップまたはスライディング-ダウンをする時には圧縮されてから、限界点を通れば伸長されながらそのスライディングハウジングを最後まで押し上げるか、または引き下す力を提供する。
【００３２】
次に、このような構成を有する端末機の作動を説明する。この端末機は、二つの動作モードを提供する。一つは図３と図４に示すように、スライディングハウジング２０がメインハウジング１０の長さ方向に沿って上下でスライディング-アップまたはスライディング-ダウンするスライディングモードである。他の一つは、図５-図７に示すようにスライディングハウジング２０がメインハウジング１０を基準に９０度回転して‘Ｔ'模様をなすか、または反対に回転して原状復帰するローテーションモードである。
【００３３】
スライディングハウジング２０がメインハウジング１０に完全に重ねられた状態(閉鎖状態)(図３の(Ａ)状態)では、スライディングハウジング２０のスライディング-アップ動作とローテーション動作の二つのすべてが許容される。しかし、スライディング-アップまたはローテーション動作モードに進入して入って行った後からは、その動作モードのみが許容されるだけで、残り動作モードは許容されない。
【００３４】
先ず、図３と図４を参照しながらスライディング動作モードを説明する。図３または図４の(Ａ)ように、スライディングハウジング２０がメインハウジング１０と完全に重ねられている閉鎖状態では、ベーススイングリンク４０の拘束チップ４６はスライディングプレート２４の拘束溝２３に挿入されている。ベーススイングリンク４０の案内突起４４は、回転ガイド溝１６の第１位置(Ｐ１)にある。この状態で使用者がスライディングハウジング２０を押し上げる力を加えれば、スライディングハウジング２０がスライディング-アップを始める。この時、拘束溝２３に閉じこめられていたベーススイングリンク４０の拘束チップ４６はその拘束溝２３の傾いた壁に沿ってスライディングプレート２４の側壁２５まで立ち上がることを強いられる。このように拘束チップ４６が側壁２５に立ち上がる過程でベーススイングリンク４０は軸４８を中心に所定角度回転するようになって、その結果案内突起４４が回転ガイド溝１６の下端部の第１位置(Ｐ１)で第２位置(Ｐ２)に移動する(図３または図４の(Ｂ)参照)。スライディングハウジング２０をある程度の距離程度に押し上げれば、垂直スライディング用スプリング５０の両腕５４a、５４bの端点の距離が最小になる支点を通るようになる。その支点を通過した後からは最大の圧縮状態にあった垂直スライディング用スプリング５０がひろがりながら、その弾性力によって使用者がそれ以上押し上げなくても、図３または図４の(ｃ)に示すようにスライディングハウジング２０は最大に押し上げられる。
【００３５】
このようなスライディング-アップ動作において、スライディングハウジング２０がメインハウジング１０の長さ方向に沿ってスライディング-アップし始めてしきいを超えれば(すなわち、ベーススイングリンク４０の拘束チップ４６がスライディングプレート２４の側壁２５に乗った直後)、その時からはスライディングハウジング２０はスライディング-アップ動作を続くことは許容できるが、ローテーションは不可能になるように拘束される。なぜなら、どのような状態にもスライディングハウジング２０のローテーション動作ができるためには、案内突起４４が回転ガイド溝１６の傾いた屈曲部に沿って移動することが許容されなければならないが、回転ガイド溝１６のＰ２支点では１０時３０分方向の溝が連結されていることができないので、案内突起４４の上のような運動は許容されることができないからである。
【００３６】
図３または図４の(ｃ)のような開き状態(スライディング-アップ状態)でスライディングハウジング２０を引き下すことで、図３または図４の(Ａ)のような閉鎖状態(スライディング-ダウン状態)に復帰される。この時、案内突起４４はＰ２位置から水平方向にＰ１位置まで後退する。このような後退を通じてスライディングハウジング２０が再び閉鎖状態に後退して(案内突起４４がＰ１の位置に後退)次には後述する方式でローテーションができるだけである。
【００３７】
次に、図５ないし図７を参照しながら、ローテーション動作モードを説明する。参照で図７に示す図にはリアカバー９０が締結されない状態に図示されている。スライディングハウジング２０のローテーションは閉鎖状態(図３-図７の(Ａ)の状態)のみで始まることができる。この状態で使用者がメインハウジング１０を取ってスライディングハウジング２０の下側の側面に力を加えれば図５-７の(Ｂ)のようにスライディングハウジング２０が反時計方向に回転をして最終的には図５-７の(ｃ)のような９０度回転をした状態で、その回転は終わってそれ以上回転が不可能である。そのように９０度回転状態で使用者がスライディングハウジング２０に反対方向の力を加えれば、再び図５-図７の(Ａ)の閉鎖状態に復帰する。
【００３８】
９０度の回転状態では、９０度回転したスライディングハウジング２０の上面ライン(実際には右側面ライン)がメインハウジング１０の上面ラインとほとんど同じ高さをなす。また、メインハウジング１０の垂直二等分線を基準にスライディングハウジング２０の左側半分と右側半分は、その長さがお互いに同一で、左右対称をなす。すなわち、メインハウジング１０とスライディングハウジング２０は左右対称の'Ｔ'字模様をなして、対称美を提供する。このようにスライディングハウジング２０が９０度回転をして充分に高い位置まで上がるようにするために、回転スライディング開口１８は十分な長さを有する必要がある。
【００３９】
ローテーション動作モードをもうすこし具体的に説明する。図５-図７の(Ａ)の閉鎖状態でスライディングハウジング２０に矢印方向に力を加えれば、円形パッド３８はＰ５位置で出発して、回転スライディング開口１８に沿ってＰ４位置に向けてスライディング移動する。これによってスライディングハウジング２０が回転をするようになる。また、このような回転過程でベーススイングリンク４０の案内突起４４は、回転ガイド溝１６のＰ１位置で出発して撓った回転ガイド溝１６に沿ってＰ３に向けて移動するようになる。このようなローテーション過程で、回転スライディング用スプリング８０は、その両腕８２、８４の間角が最大に離れている閉鎖状態からますますその間角が細くなりながら両腕８２、８４の端が水平方向に同じ高さになる時、最大に圧縮されてから(図５-図７の(Ｂ)の状態)、その後からは使用者が力をさらに加えなくても回転スライディング用スプリング８０の自体弾性力によって再びその両腕８２、８４の間角が離れながらスライディングハウジング２０が９０度回転するまで押し付ける力を提供する。
【００４０】
このようなローテーション過程で、メインスイングリンク７０も状態変化を起こす。閉鎖状態ではメインスイングリンク７０の長さ方向とベースダミー６０の長さ方向(すなわち、水平方向)間の間角はおおよそ１２０度程度の鈍角を形成する。スライディングハウジング２０が回転をすると前記間角はだんだん細くなって、回転スライディング用スプリング８０の両腕８２、８４が水平方向に並んで位置する支点をもうすこし経つ位置に至って最小になった後、スライディングハウジング２０が９０度回転を完成するまではその間角が反対にすこし離れておおよそ４５度程度をなす。このようにメインスイングリンク７０は、ローテーション動作モードで回転するベースダミー６０とヒンジベース３０の円形パッド３８に対して運動基準点を提供しながら真っ直ぐに伸びた回転スライディング開口１８に沿ってヒンジベース３０の円形パッド３８が直線方向にスライディング運動をするようにしてくれる役割をする。
【００４１】
このように９０度回転を完成するようになると(図５-図７の(ｃ)の状態)、案内突起４４は回転ガイド溝１６の上部端(Ｐ３位置)に至って円形パッド３８も回転スライディング開口１８の上部端(Ｐ４位置)に到逹して、それ以上進むことができなくなる。このような９０度回転状態は回転スライディング用スプリング８０が提供する弾性力によって安定的に維持される。使用者がスライディングハウジング２０に回転スライディング用スプリング８０の弾性力を勝つ外力を加えればスライディングハウジング２０は反対方向に回転して閉鎖状態(図５-７の(Ａ)の状態)に復帰するようになる。
【００４２】
ローテーション動作を一端始めれば、ベーススイングリンクの案内突起４４はＰ１の位置でＰ３側を向けて滑走するようになる。すなわち、Ｐ２側へ移動することは絶対に不可である。だから、ローテーション動作の全過程にかけてベーススイングリンク４０の拘束チップ４６は、いつも拘束溝２３に拘束された状態を維持するように強いられる。拘束チップ４６が拘束溝２３を脱することができない限り、スライディングハウジング２０はメインハウジング１０の長さ方向にスライディング運動ができない。また、スライディングハウジング２０が９０度回転する間に、ベーススイングリンク４０の案内突起４４は回転ガイド溝１６の傾斜溝にいつも拘束された状態で移動する。このような拘束によって、スライディングハウジング２０がメインハウジング１０の長さ方向(y軸方向)にスライディングするのが遮られる。だから、スライディングハウジング２０がメインハウジング１０に対してローテーションをし始めた時点からは、スライディングハウジング２０はメインハウジング１０の長さ方向へのスライディング動作ができないように拘束される。案内突起４４が再びＰ１の位置に帰って来るとスライディング動作が可能になる。
【００４３】
以上で説明したスライディング動作とローテーション動作とは、閉鎖状態ではどの動作モードへも進入が可能に連結されている。そして、これら二つの動作モードは上で説明した一つの統合されたメカニズムによってお互いに密接に連関を有しながら遂行される。すなわち、スライディング動作のために拘束チップ４６が拘束溝２３を脱するためのベーススイングリンク４０の回転が必要であるが、そういうスイングリンク４０の回転状態は、すなわちスライディングハウジング２０の回転を防止する状態として機能する。また、ローテーション動作のためにはベーススイングリンク４０の回転不可状態、ベーススイングリンク４０の案内突起４４が回転ガイド溝１６に沿って行うスライディング運動、そして、ヒンジベース３０の円形パッド３８が回転スライディング開口１８に沿って行うスライディング運動、メインスイングリンク７０の動き、そして、回転スライディング用スプリング８０の圧縮と伸長などのような各構成要素らの動きがお互いに調和をなして上のようなスライディングハウジング２０の９０度回転と原状復帰を保障してくれる。また、ベーススイングリンク４０の回転不可状態は、スライディングハウジング２０のローテーションのために必要であるが、その回転不可状態はまた拘束チップ４６が拘束溝２３を抜け出て来ることができなくするから、スライディングハウジング２０のスライディング動作を基本的に遮断する役割をする。
【００４４】
スライディングハウジング２０のスライディング-アップ動作やスライディング-ダウン動作は垂直スライディング用スプリング５０の力を必ず借りなければならないものではなくて、使用者の力だけでも完成されることができる。だから、垂直スライディング用スプリング５０が必ず必要なものではない。スライディングハウジング２０のローテーション動作においても、回転スライディング用スプリング８０の力を借りなくても、使用者の力だけでスライディングハウジング２０の回転が可能であるので、回転スライディング用スプリング８０が必須的なものではない。単に、これらスプリング５０、８０はスライディングハウジング２０がどのような状態にあっても、その状態を支持してくれる力を提供する役割をするものであるので、これら二つのスプリング５０、８０を採用しない場合には上のような役割をする別途の手段を講じるのが望ましい。
【００４５】
実際設計において、メインスイングリンク７０の長さ、回転スライディング開口１８の傾斜角と長さ、回転ガイド溝１６の傾斜角、曲率、長さ、そして端部分の形状などは要求される動作内容によって適切な値を可変的に決めることができる。そして、これら要素らの値によってスライディング動作とローテーション動作はお互いに連関性を有するようになる。９０度回転後のスライディングハウジング２０がメインハウジング１０に対して左右対称をなすためには、スライディングハウジング２０の必要な移動距離を回転スライディング開口１８の設計時に考慮しなければならない。回転スライディング開口１８の傾斜角と長さはスライディングハウジング２０が９０度回転する時にヒンジベース３０のパッド３８がメインハウジング１０の幅方向(水平方向またはx軸方向)と長さ方向(y軸方向)に移動する距離と同じである。
【００４６】
実際の設計時に、９０度回転したスライディングハウジング２０にメインハウジング１０を基準に左右対称をなすようにするためには、ヒンジベース３０のパッド３８が回転スライディング開口１８の下端部から上端部にスライディング移動する時の水平方向(メインハウジング１０の幅方向またはx軸方向)の移動距離がスライディングハウジング２０の長さ中心線をメインハウジング１０の幅の中心線上へ来るようにスライディングハウジング２０が移動する距離と同じであるようにするとよい。
【００４７】
また、９０度回転したスライディングハウジング２０の上部側面の高さがメインハウジング１０の上部側面の高さと同じになるように(図５の(ｃ)参照)するためには、スライディングハウジング２０がメインハウジング１０の長さ方向(y軸方向)に所定距離移動しなければならない。この移動距離は、閉鎖状態(図５の(ａ)状態)でのヒンジベース３０のパッド３８の中心線と回転状態(図５の(ｃ)状態)でのヒンジベース３０のパッド３８の中心線のy座標値の間の差と同じであるようにする。
【００４８】
上のような二つの設計要素を同時に反映すると、９０度回転後のスライディングハウジング２０は、メインハウジング１０を基準に左右対称をなして、それの上部側面はメインハウジング１０の上部側面と同じ高さをなすようになる。
【００４９】
また、上の実施例の説明と異なり必要によって上で言及した構成要素らはメインハウジング１０またはスライディングハウジング２０に結合される独立された構成要素としてではなく、それらと一体をなす一部分として設計されるか、または反対にメインハウジング１０またはスライディングハウジング２０の一部分ではなく、それらと結合することができる独立された部品として設計されることもできる。
【産業上の利用可能性】
【００５０】
本発明のスライディング及びローテーションメカニズムは、携帯電話に適用された場合を例にして説明したが、これに限定されるものではない。携帯電話以外にも、上のような二つの動作モードを必要とするものなら、その適用に制限を受けない。例えば、ＰＤＡ、スマトホン、ＰＭＰ、ゲーム機、小型ＰＣ、または将来に出るある器機らに対しても上のような二つの動作モードが要求される場合なら適用が可能であろう。
【図面の簡単な説明】
【００５１】
【図１】本発明の望ましい実施例によるスライド及びローテーションメカニズムを採用した携帯用端末機の注視角を異にした分解斜視図である。
【図２】同じく、本発明の望ましい実施例によるスライド及びローテーションメカニズムを採用した携帯用端末機の注視角を異にした分解斜視図である。
【図３】図１の携帯用端末機のスライディング動作を段階別に見せてくれる平面図である。
【図４】図１の携帯用端末機のスライディング動作を段階別に見せてくれる斜視図である。
【図５】図１の携帯用端末機のローテーション動作を段階別に見せてくれる平面図である。
【図６】図１の携帯用端末機のローテーション動作を段階別に見せてくれる斜視図である。
【図７】図１の携帯用端末機のローテーション動作を段階別に見せてくれる底面斜視図である。
【符号の説明】
【００５２】
１０  メインハウジング
１６  回転ガイド溝
１８  回転スライディング開口
２０  スライディングハウジング
２３  拘束溝
２６  ガイドレール
３０  ヒンジベース
３１  基板
３３  ヒンジベースホルダー
３８  円形パッド
４０  ベーススイングリンク
４４  案内突起
４６  拘束チップ
５０  垂直スライディング用スプリング
６０  ベースダミー
７０  メインスイングリンク
８０  回転スライディング用スプリング
９０  リアカバー
【図１】
2009033750.tif 000003
【図２】
2009033750.tif 000004
【図３】
2009033750.tif 000005
【図４】
2009033750.tif 000006
【図５】
2009033750.tif 000007
【図６】
2009033750.tif 000008
【図７】
2009033750.tif 000009